【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
コンピュータが実施するデータ操作システムであって、
前記システムは、
プロセッサと、
情報を提示するためのディスプレイ装置と、
前記プロセッサに動作可能に結合され、コンピュータ実行可能命令を格納するコンピュータ読み取り可能な記録媒体であって、該コンピュータ実行可能命令は該プロセッサによって実行される場合に複数のコンポーネントを実行する、コンピュータ読み取り可能な記録媒体と
を備え、
前記複数のコンポーネントは、
１つまたは複数のデータ項目を１つまたは複数のタグに自動的に関連付けるタグ付けコンポーネントであって、該関連付けられたタグは、重み付けられて、少なくとも１つのユーザによる前記データ項目の相互作用の量または性質、あるいは該ユーザによる前記データ項目の関心を指し示し、かつ少なくとも１つのユーザの、前記データ項目または関連付けられたデータ項目との後続の相互作用に応答して前記少なくとも１つのユーザに対して前記ディスプレイ装置を介してデータの提示を促進する、タグ付けコンポーネントと、
前記データ項目との少なくとも１つのユーザの相互作用に少なくとも部分的に基づいて、前記プロセッサを介して前記データ項目を処理してデータ項目のサブセットを決定する操作ツールと
を含み、
前記操作ツールはまた、前記データ項目に対する関心または相互作用を指し示すアノテーションの状態に依存して、検索に対してデータ項目のサブセットを異なるように重み付けする索引作成手続きも行い、
前記コンピュータ読み取り可能な記録媒体は、前記データ、前記関連付けられたタグ、または該タグの重み付けのうちの少なくとも一つを保持することを特徴とするシステム。
【請求項２】
前記データ項目は、文書、ファイル、電子メールメッセージ、カレンダ予約、ウェブページ、前記データ項目内のサブセクション、または項目間の抽象概念を含むことを特徴とする請求項１に記載のシステム。
【請求項３】
前記１つまたは複数のタグのうち第１のタグは、前記少なくとも１つのユーザが最後に前記関連付けられたデータ項目にアクセスした位置を表すか、あるいは前記少なくとも１つのユーザが前記関連付けられたデータ項目に対してアクセスまたは相互作用した回数の位置情報履歴を表すことを特徴とする請求項１に記載のシステム。
【請求項４】
前記１つまたは複数のタグのうち第１のタグは、前記少なくとも１つのユーザが最後に前記関連付けられたデータ項目にアクセスした時間、前記関連付けられたデータ項目がアクセスされた総数を表すか、過去にさかのぼる期間内で前記関連付けられたデータ項目がアクセスされた頻度を表すか、または１つまたは複数の任意に指定した期間内で前記関連付けられたデータ項目がアクセスされた頻度を表すことを特徴とする請求項１に記載のシステム。
【請求項５】
経時的なアクセス頻度の高次統計量を符号化するコンポーネントをさらに含むことを特徴とする請求項１に記載のシステム。
【請求項６】
少なくとも１つのユーザに対して１つまたは複数のタグの機能に基づいて前記１つまたは複数のデータ項目のうちの少なくとも１つのデータ項目を検索可能とするビューワ、少なくとも１つのユーザに対して１つまたは複数のタグの機能に基づいて検索したデータ項目をソートまたはフィルタ可能とするビューワ、または１つまたは複数のタグの機能に基づいて前記１つまたは複数のデータ項目のうち検索したデータ項目を提示するビューワをさらに含むことを特徴とする請求項１に記載のシステム。
【請求項７】
データ項目に対するユーザアクティビティの分析のために、コンピュータが実施する方法であって、
前記方法は、
コンピュータ読み取り可能な記録媒体に格納された、複数の動作を実行するためのコンピュータ実行可能命令を実行するプロセッサを用いるステップを含み、
前記複数の動作は、
前記データ項目とのユーザの相互作用をモニタするステップと、
前記データ項目に対するユーザの相互作用の量または性質を反映するデータ項目を自動的にタグ付けするステップであって、該タグは相互作用の度合いを反映する関連付けられた重み付けを有する、ステップと、
前記タグを使用して、当該データまたはそのサブセットに関連する将来のユーザアクティビティに従って前記データ項目をデータ項目のサブセットにさらに処理するステップと、
前記データ項目に対する関心または相互作用を指し示すアノテーションの状態に依存して、検索に対してデータ項目のサブコンポーネントを異なるように重み付けする索引作成手続きを行うステップと、
将来のユーザアクティビティ、タグ、またはタグの重み付けのうちの少なくとも一つに基づいて当該データまたはそのサブセットをユーザに対して提示するステップと
を含むことを特徴とする方法。
【請求項８】
前記データ項目に関連付けられたアテンショナルなアノテーション内部のデータを、独立したデータベースに格納するステップ、または前記データ項目に埋め込まれるデータ構造内部に格納するステップをさらに含むことを特徴とする請求項７に記載の方法。
【請求項９】
前記データ項目は、コンピュータ読み取り可能な記録媒体を構成することを特徴とする請求項８に記載の方法。
【請求項１０】
前記コンピュータ読み取り可能な記録媒体は、テキスト、グラフィック、および関連するデータコンポーネントを含むデータ項目であることを特徴とする請求項９に記載の方法。
【請求項１１】
前記索引作成手続きは、前記データ項目に対する関心または相互作用を指し示すアノテーションの状態に依存して、データ項目内の情報を見過ごすかまたは削除することを特徴とする請求項７に記載の方法。
【請求項１２】
コンピュータユーザがアテンションを向けないまたは相互作用しないコンポーネントを除去することで圧縮されるインデックスをさらに含むことを特徴とする請求項７に記載の方法。
【請求項１３】
データ項目のコンポーネントに対するアテンションまたは相互作用がより少ないコンポーネントを除去することで圧縮されるインデックスをさらに含むことを特徴とする請求項１２に記載の方法。
【請求項１４】
検索に使用される順位付け点数を提供し、ユーザがアテンションを向けるデータ項目または相互作用するデータ項目のセクションに現れる単語またはオブジェクトにより多くの重み付けを生成するステップをさらに含むことを特徴とする請求項１２に記載の方法。
【請求項１５】
アテンショナルなアノテーションを使用して、過去および／または現在にアテンションを向ける領域または相互作用する領域に基づいてクエリを自動的または半自動的に作成するステップ、またはアテンショナルなアノテーションを使用して、過去および／または現在にアテンションを向ける項目または相互作用する項目に対する差別的なアクセスまたは差別的な表示を提供するステップをさらに含むことを特徴とする請求項１２に記載の方法。
【請求項１６】
データ項目に対するユーザアクティビティを分析するための、コンピュータ実施システムであって、
前記システムは、
プロセッサと、
ユーザインタフェースを提示するディスプレイと、
該プロセッサによって実行される場合に複数のコンポーネントを実行するコンピュータ実行可能命令を格納するコンピュータ読み取り可能な記録媒体と
を備え、
前記複数のコンポーネントは、
１つまたは複数のデータ項目に関してユーザアクティビティを前記プロセッサによって決定する手段と、
前記ユーザアクティビティに少なくとも部分的に基づいて前記データ項目をタグ付けする手段であって、該タグは、ユーザによる前記データ項目との相互作用の度合いを反映する関連付けられた重み付けを有する、手段と、
前記データ項目に関連付けられた、前記タグに部分的に、および該タグの重み付けのレベルに基づいて前記データ項目をコンピュータ読み取り可能な記録媒体に格納する手段と、
前記プロセッサによって前記データ項目およびその関連付けられた重み付けタグを処理する手段であって、該処理は、前記データ項目に対する関心または相互作用を指し示すアノテーションの状態に依存して、前記データ項目および該データ項目のサブセットを検索のために異なるように重み付けする索引作成手続きを行うことを含む、手段と、
少なくとも１つのユーザの、前記データ項目または関連付けられたデータ項目との後続の相互作用に基づいて、前記少なくとも１つのユーザに対して前記ユーザインタフェースを介して前記データ項目を提示する手段であって、該データ項目は前記重み付けされたタグにしたがって提示される、手段と
を備えることを特徴とするシステム。
【請求項１７】
前記データ項目に対するアテンショナルなアノテーションを符号化する手段と
前記データ項目内部のサブコンポーネントに対するアテンショナルなアノテーションを符号化する手段と
をさらに備え、
該アノテーションは、前記サブコンポーネントの各々のポインタまたはインジケーションと、その結果得られる、前記サブコンポーネントに対して受けたユーザのアテンションとを取得することを特徴とする請求項１６に記載のシステム。